(57)【要約】【課題】レセプタクルコネクタとプラグコネクタの機能を兼ね備えたコネクタを提供する。【解決手段】基板に固定可能なコネクタであって、複数のプラグコンタクトと、複数のレセプタクルコンタクトと、を備え、プラグコンタクトとレセプタクルコンタクトは、嵌合面において交互に配置されていることを特徴とする。【選択図】図１
2012009234.tif 000002
【特許請求の範囲】
【請求項１】
基板に固定可能なコネクタであって、
複数のプラグコンタクトと、
複数のレセプタクルコンタクトと、を備え、
前記プラグコンタクトと前記レセプタクルコンタクトは、嵌合面において交互に配置されていること
を特徴とするコネクタ。
【請求項２】
前記嵌合面は、前記コネクタが固定される基板に対して傾斜した面である、請求項１に記載のコネクタ。
【請求項３】
前記嵌合面は、前記コネクタが固定される基板に対して４５度傾斜した面である、請求項２に記載のコネクタ。
【発明の詳細な説明】
【技術分野】
【０００１】
本発明は、基板に固定可能なコネクタに関する。
【背景技術】
【０００２】
従来、プリント配線基板等の回路基板に実装され、回路基板と他の電気回路とを接続するコネクタが広く用いられている。
【０００３】
例えば、雌コネクタの側面に、雌コネクタの底部に対して略垂直方向に溝を形成するとともに、溝の内部に雌コンタクトを設け、雄コネクタを略垂直方向から雌コネクタに接近させ、その過程で雄コンタクトを溝に挿入し、雌コンタクトと係合させることで両コンタクトを接触させるコネクタ構造が知られている。
【先行技術文献】
【特許文献】
【０００４】
【特許文献１】特開２００２−９３５０１号公報
【発明の概要】
【発明が解決しようとする課題】
【０００５】
従来のコネクタとして、雌型のレセプタクルコネクタと、雄型のプラグコネクタとが存在し、各コネクタが別々に設計されている。また、コネクタを用いて回路基板と他の電気回路とを接続する場合には、レセプタクルコネクタとプラグコネクタの双方が使用され、これらのコネクタを搭載した装置の部品点数が増加する。
【０００６】
そこで、レセプタクルコネクタとプラグコネクタの機能を兼ね備えたコネクタを提供することを目的とする。
【課題を解決するための手段】
【０００７】
上記課題を解決するため、開示のコネクタは、基板に固定可能なコネクタであって、複数のプラグコンタクトと、複数のレセプタクルコンタクトと、を備え、前記プラグコンタクトと前記レセプタクルコンタクトは、嵌合面において交互に配置されていることを特徴とする。
【発明の効果】
【０００８】
開示のコネクタは、レセプタクルコネクタとプラグコネクタの機能を兼ね備えているため、開示のコネクタを搭載した装置の部品点数を削減することができる。
【図面の簡単な説明】
【０００９】
【図１】コネクタの一例を示す斜視図である。
【図２】図１に示されるコネクタの側面図である。
【図３】（ａ）は、プラグコンタクトの構成図であり、（ｂ）は、レセプタクルコンタクトの構成図である。
【図４】２枚の基板を平行に接続した状態を示す図である。
【図５】プラグコンタクトとレセプタクルコンタクトとが嵌合した状態を示す図である。
【図６】２枚の基板を垂直に接続した状態を示す図である。
【図７】変形例１のコネクタを示す斜視図である。
【発明を実施するための形態】
【００１０】
＜実施形態＞
以下、基板に固定可能なコネクタについて、実施形態に基づいて説明する。
まず、図１を参照して、本実施形態のコネクタの概略構成を説明する。図１は、本実施形態のコネクタの概略構成の一例を示す斜視図である。図１に示されるように、本実施形態のコネクタ２０は、プリント配線基板等の基板１０に固定される。コネクタ２０は、複数のプラグコンタクト２２と、複数のレセプタクルコンタクト２４と、を備える。図１に示される例のコネクタ２０は、３つのプラグコンタクト２２と、４つのレセプタクルコンタクト２４と、を備える。複数のプラグコンタクト２２と複数のレセプタクルコンタクト２４とは、図１に示されるように交互に配置されている。
なお、コネクタ２０を基板１０に固定する方法は特に限定されるものではない。例えば、スルーホール実装や圧入実装によりコネクタ２０を基板１０に固定することができる。
【００１１】
次に、図２を参照して、コネクタ２０の形状について詳細に説明する。図２は、図１に示されるコネクタ２０の側面図である。図２に示されるＰは、コネクタ２０の嵌合面を示す。嵌合面Ｐは、プラグコンタクト２２が延びる方向に垂直な面である。図２に示されるように、複数のプラグコンタクト２２と複数のレセプタクルコンタクト２４は、嵌合面Ｐにおいて交互に配置されている。
プラグコンタクト２２、レセプタクルコンタクト２４は、コネクタ２０のハウジング２６を貫通しているため、基板１０と他の電気回路との接続が可能となる。プラグコンタクト２２及びレセプタクルコンタクト２４の詳細な形状については後述する。
【００１２】
本実施形態のコネクタ２０の嵌合面Ｐは、コネクタ２０が固定される基板１０に対して傾斜している。図２には、コネクタ２０の嵌合面Ｐと基板１０との成す角度がθで示されている。本実施形態では、角度θは４５度である。
【００１３】
また、本実施形態のプラグコンタクト２２とレセプタクルコンタクト２４は、嵌合面Ｐにおいて等間隔に配置されている。図２には、隣接するプラグコンタクト２２とレセプタクルコンタクト２４との距離がｄで示されている。
【００１４】
ここで、図３を参照して、プラグコンタクト２２とレセプタクルコンタクト２４の構成を説明する。図３（ａ）は、プラグコンタクト２２の構成図であり、図３（ｂ）は、レセプタクルコンタクト２４の構成図である。プラグコンタクト２２、レセプタクルコンタクト２４は、いずれも導電性に優れた金属材料により形成される。また、プラグコンタクト２２の接触部２２ａとレセプタクルコンタクト２４の接触部２４ａとが嵌合するように、接触部２２ａと接触部２４ａは形成される。プラグコンタクト２２とレセプタクルコンタクト２４とが嵌合する状態は、後述する。
【００１５】
次に、図４、図５を参照して、２枚の基板１０を平行に接続した状態を説明する。図４は、同一形状のコネクタ２０を２枚の基板１０のそれぞれに固定し、２枚の基板１０が平行となるように２つのコネクタ２０を接続した状態を示す図である。また、図５は、図４の拡大図であり、２つのコネクタ２０が接続され、プラグコンタクト２２とレセプタクルコンタクト２４とが嵌合した状態を示す図である。
【００１６】
本実施形態のコネクタ２０は、交互に配置された複数のプラグコンタクト２２と複数のレセプタクルコンタクト２４とを備えるため、図４に示されるように、同一形状の２つのコネクタ２０を互いに接続することができる。つまり、一方のコネクタ２０のプラグコンタクト２２が他方のコネクタ２０のレセプタクルコンタクト２４に嵌合するため、レセプタクルコネクタとプラグコネクタを別々に設けなくて済む。そのため、本実施形態のコネクタ２０を用いることによって、部品点数を削減することが可能となる。
【００１７】
次に、図６を参照して、２枚の基板１０を垂直に接続した状態を説明する。図６は、同一形状のコネクタ２０を２枚の基板１０のそれぞれに固定し、２枚の基板１０が垂直となるように２つのコネクタ２０を接続した状態を示す図である。本実施形態のコネクタ２０は、嵌合面Ｐと基板１０との成す角度が４５度であるため、同一形状のコネクタ２０を用いることにより、図４に示されるように２枚の基板１０を平行に接続するだけでなく、図６に示されるように２枚の基板１０を垂直に接続することも可能となる。このように、２枚の基板１０を平行や垂直に接続することが可能となるため、本実施形態のコネクタ２０を用いて接続を行う際に、設計の自由度を高めることができる。
【００１８】
以上説明したように、本実施形態のコネクタ２０は、複数のプラグコンタクト２２と複数のレセプタクルコンタクト２４とを備え、複数のプラグコンタクト２２と複数のレセプタクルコンタクト２４とが嵌合面Ｐにおいて交互に配置されている。そのため、本実施形態のコネクタ２０を用いることにより、部品点数を削減することができる。
【００１９】
なお、上述した実施形態では、コネクタ２０が３つのプラグコンタクト２２と４つのレセプタクルコンタクト２４を備える例について説明したが、プラグコンタクト２２の数とレセプタクルコンタクト２４の数はこれに限定されるものではなく、任意の個数とすることができる。但し、図４及び図６を参照して説明したように、同一形状の２つのコネクタ２０を用いて、２枚の基板１０を平行や垂直に接続することを可能とするためには、レセプタクルコンタクト２４の数がプラグコンタクト２２の数よりも多いことが好ましい。
【００２０】
（変形例１）
図１を参照して説明した実施形態では、コネクタ２０の嵌合面Ｐに沿って複数のプラグコンタクト２２と複数のレセプタクルコンタクト２４とが一列に、交互に配列されている例を説明したが、複数のプラグコンタクト２２と複数のレセプタクルコンタクト２４は、複数の列に亘って配列されるものでもよい。以下、図７を参照して、変形例１のコネクタ２０について説明する。
【００２１】
図７は、本変形例のコネクタ２０の概略構成の一例を示す斜視図である。図７に示されるように、本変形例のコネクタ２０は、図１を参照して説明したコネクタを６個並列に結合したのと等価な形状である。プラグコンタクト２２やレセプタクルコンタクト２４の構成は、上述した実施形態と同一である。本変形例のコネクタ２０のように、複数のプラグコンタクト２２と複数のレセプタクルコンタクト２４が複数の列に亘って配置される場合においても、同一形状の２つのコネクタ２０を用いることにより、部品点数を削減することができる。
【００２２】
（変形例２）
図１を参照して説明した実施形態では、コネクタ２０の嵌合面Ｐと基板１０との成す角度θが４５度の例を説明したが、嵌合面Ｐと基板１０との成す角度θはこれに限定されるものではない。
角度θが４５度以外の場合においても、図４を参照して説明したように、同一形状のコネクタ２０を２枚の基板１０のそれぞれに固定し、２枚の基板１０が平行となるように２つのコネクタ２０を接続することができる。そのため、本変形例のように、角度θが４５度以外の場合においても、同一形状の２つのコネクタ２０を用いることにより、部品点数を削減することができる。
【００２３】
以上、本発明のコネクタについて詳細に説明したが、本発明は上記実施形態に限定されるものではない。また、本発明の主旨を逸脱しない範囲において、種々の改良や変更をしてもよいのはもちろんである。
【００２４】
（付記）
なお、本発明は、以下の付記に記載されるように構成することができる。
【００２５】
（付記１）
基板に固定可能なコネクタであって、
複数のプラグコンタクトと、
複数のレセプタクルコンタクトと、を備え、
前記プラグコンタクトと前記レセプタクルコンタクトは、嵌合面において交互に配置されていること
を特徴とするコネクタ。
【００２６】
（付記２）
前記嵌合面は、前記コネクタが固定される基板に対して傾斜した面である、付記１に記載のコネクタ。
【００２７】
（付記３）
前記嵌合面は、前記コネクタが固定される基板に対して４５度傾斜した面である、付記２に記載のコネクタ。
【００２８】
（付記４）
前記複数のプラグコンタクトと前記複数のレセプタクルコンタクトは、前記嵌合面において等間隔に配置されている、付記１乃至３のいずれかに記載のコネクタ。
【符号の説明】
【００２９】
１０  基板
２０  コネクタ
２２  プラグコンタクト
２４  レセプタクルコンタクト
２６  ハウジング
【図１】
2012009234.tif 000003
【図２】
2012009234.tif 000004
【図３】
2012009234.tif 000005
【図４】
2012009234.tif 000006
【図５】
2012009234.tif 000007
【図６】
2012009234.tif 000008
【図７】
2012009234.tif 000009